【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
光を反射する反射手段と、
前記反射手段が位置する方向に向けて光を照射する発光手段と、
前記反射手段から反射された光を含む外部からの光を受け付ける受光手段と、
前記受光手段によって受け付けられた光に基づく出力値を出力する出力手段と、
前記反射手段によって反射されてから前記受光手段に受け付けられるまでの光の経路の少なくとも一部に所定の物体が存在しているか否かを、前記出力値に基づいて検出する第１検出手段と、
前記発光手段が光を照射しており、且つ前記経路に前記所定の物体が存在していない状態で前記受光手段によって受け付けられる光に基づいて前記出力手段によって出力される第１出力値が、規定値になるように制御する制御手段と、
前記第１出力値が前記規定値になるように制御された後であり、前記発行手段が光を照射しており、且つ前記経路に前記所定の物体が存在していることが前記第１検出手段によって検出されている状態で前記受光手段によって受け付けられる光に基づいて前記出力手段によって出力される第２出力値に基づいて、前記反射手段による光の反射率が低下しているか否かを検出する第２検出手段と、
を有することを特徴とする検出装置。
【請求項２】
前記反射手段による光の反射率が低下していることが前記第２検出手段によって検出されたことに基づいて、所定の処理を実行する実行手段と、をさらに有することを特徴とする請求項１に記載の検出装置。
【請求項３】
前記所定の処理は、前記反射手段による光の反射率の低下を回復させるための処理であることを特徴とする請求項２に記載の検出装置。
【請求項４】
前記所定の処理は、前記反射手段に関するユーザへの通知処理又は、前記反射手段を清掃するための清掃処理であることを特徴とする請求項３に記載の検出装置。
【請求項５】
前記通知処理は、前記反射手段の清掃を促すための画面を表示部に表示する処理であることを特徴とする請求項４に記載の検出装置。
【請求項６】
前記発光手段によって照射される光の光量を上げる処理、及び、前記受光手段の光の感度を上げる処理のうち少なくとも一方が実行されることで、前記第１出力値が前記規定値になるように制御されることを特徴とする請求項１乃至５のいずれか１項に記載の検出装置。
【請求項７】
前記第２出力値に基づいて、前記経路の少なくとも一部に前記所定の物体が存在しているか否かが検出されることを特徴とする請求項１に記載の検出装置。
【請求項８】
前記第２出力値が、所定の閾値に達したことに基づいて、前記反射手段による光の反射率が低下していることが検出される請求項１乃至７のいずれか１項に記載の検出装置。
【請求項９】
前記第２出力値が、前記所定の閾値に対応する光量より大きい光量に対応する特定の閾値に達したことに基づいて、前記経路の少なくとも一部を前記所定の物体が通過していることが検出される請求項８に記載の検出装置。
【請求項１０】
前記所定の物体は、記録媒体であることを特徴とする請求項１乃至９のいずれか１項に記載の検出装置。
【請求項１１】
記録剤によって記録媒体に画像を形成する画像形成手段をさらに有することを特徴とする請求項１乃至１０のいずれか１項に記載の検出装置。
【請求項１２】
前記記録剤はインクであり、
前記記録媒体は紙であることを特徴とする請求項１１に記載の検出装置。
【請求項１３】
光を反射する反射手段と、
前記反射手段が位置する方向に向けて光を照射する発光手段と、
前記反射手段から反射された光を含む外部からの光を受け付ける受光手段と、
を有する検出装置の制御方法であって、
前記受光手段によって受け付けられた光に基づく出力値を出力する出力ステップと、
前記反射手段によって反射されてから前記受光手段に受け付けられるまでの光の経路の少なくとも一部に所定の物体が存在しているか否かを、前記出力値に基づいて検出する第１検出ステップと、
前記発光手段が光を照射しており、且つ前記経路に前記所定の物体が存在していない状態で前記受光手段によって受け付けられる光に基づいて出力される第１出力値が、規定値になるように制御する制御ステップと、
前記第１出力値が前記規定値になるように制御された後であり、前記発行手段が光を照射しており、且つ前記経路に前記所定の物体が存在していることが検出されている状態で前記受光手段によって受け付けられる光に基づいて出力される第２出力値に基づいて、前記反射手段による光の反射率が低下しているか否かを検出する第２検出ステップと、
を有することを特徴とする制御方法。
【請求項１４】
前記反射手段による光の反射率が低下していることが前記第２検出手段によって検出されたことに基づいて、所定の処理を実行する実行ステップをさらに有することを特徴とする請求項１３に記載の制御方法。
【請求項１５】
前記所定の処理は、前記反射手段による光の反射率の低下を回復させるための処理であることを特徴とする請求項１４に記載の制御方法。
【請求項１６】
前記所定の処理は、前記反射手段に関するユーザへの通知処理又は、前記反射手段を清掃するための清掃処理であることを特徴とする請求項１５に記載の制御方法。
【請求項１７】
前記通知処理は、前記反射手段の清掃を促すための画面を表示部に表示する処理であることを特徴とする請求項１６に記載の制御方法。
【請求項１８】
前記発光手段によって照射される光の光量を上げる処理、及び、前記受光手段の光の感度を上げる処理のうち少なくとも一方が実行されることで、前記第１出力値が前記規定値になるように制御されることを特徴とする請求項１３乃至１７のいずれか１項に記載の制御方法。
【請求項１９】
前記第２出力値に基づいて、前記経路の少なくとも一部に前記所定の物体が存在しているか否かが検出されることを特徴とする請求項１３乃至１８のいずれか１項に記載の制御方法。
【請求項２０】
前記第２出力値が、所定の閾値に達したことに基づいて、前記反射手段による光の反射率が低下していることが検出される請求項１３乃至１９のいずれか１項に記載の制御方法。
【請求項２１】
前記第２出力値が、前記所定の閾値に対応する光量より大きい光量に対応する特定の閾値に達したことに基づいて、前記経路の少なくとも一部を前記物体が通過していることが検出される請求項２０に記載の制御方法。
【請求項２２】
前記物体は、記録媒体であることを特徴とする請求項１３乃至２１のいずれか１項に記載の制御方法。
【請求項２３】
記録剤によって記録媒体に画像を形成する画像形成手段をさらに有することを特徴とする請求項１３乃至２２のいずれか１項に記載の制御方法。
【請求項２４】
前記記録剤はインクであり、
前記記録媒体は紙であることを特徴とする請求項２３に記載の制御方法。
【請求項２５】
光を反射する反射手段と、
前記反射手段が位置する方向に向けて光を照射する発光手段と、
前記反射手段から反射された光を含む外部からの光を受け付ける受光手段と、
を有する検出装置のコンピュータに、請求項１３乃至２４のいずれか１項に記載の制御方法の各ステップを実行させることを特徴とするプログラム。
【手続補正２】
【補正対象書類名】明細書
【補正対象項目名】０００６
【補正方法】変更
【補正の内容】
【０００６】
上記の問題を解決するための検出装置は、
光を反射する反射手段と、
前記反射手段が位置する方向に向けて光を照射する発光手段と、
前記反射手段から反射された光を含む外部からの光を受け付ける受光手段と、
前記受光手段によって受け付けられた光に基づく出力値を出力する出力手段と、
前記反射手段によって反射されてから前記受光手段に受け付けられるまでの光の経路の少なくとも一部に所定の物体が存在しているか否かを、前記出力値に基づいて検出する第１検出手段と、
前記発光手段が光を照射しており、且つ前記経路に前記所定の物体が存在していない状態で前記受光手段によって受け付けられる光に基づいて前記出力手段によって出力される第１出力値が、規定値になるように制御する制御手段と、
前記第１出力値が前記規定値になるように制御された後であり、前記発行手段が光を照射しており、且つ前記経路に前記所定の物体が存在していることが前記第１検出手段によって検出されている状態で前記受光手段によって受け付けられる光に基づいて前記出力手段によって出力される第２出力値に基づいて、前記反射手段による光の反射率が低下しているか否かを検出する第２検出手段と、
を有することを特徴とする。
【手続補正３】
【補正対象書類名】明細書
【補正対象項目名】００４８
【補正方法】変更
【補正の内容】
【００４８】
Ｓ５０６では、記録装置１は、ＬＥＤ２１により照射される光量を上げる。